(57)【要約】      （修正有）【課題】熱膨張冷収縮の現象が生じてもヒートパイプ壁の亀裂や破裂を防止できる可塑性を有する太陽エネルギー集熱パネルを提供する。【解決手段】集熱パネル１０は一体ブロー成形によって形成され、複数本のヒートパイプ１１、入水パイプ１２、出水パイプ１３及びフィンを含む。ヒートパイプは入水パイプ、出水パイプの間に縦方向に配列され、且つ入水パイプ、出水パイプと連通する。それぞれのヒートパイプの間はフィンによって連結される。それぞれのヒートパイプの外周を平面が環状になって構成された六角形または八角形にすることで、それぞれの平面は受力部となる。それぞれのヒートパイプの両側は、フィンの一つの側面上に凹部を形成し、他の側面は相対的に突出され、これにより、それぞれ一つの弾性部を形成する。【選択図】図１
0003189108.tif 000002
【実用新案登録請求の範囲】
【請求項１】
可塑性を有する太陽エネルギー集熱パネル構造において、
該集熱パネルは、複数本のヒートパイプ、入水パイプ及び出水パイプが、プラスチックブロー成形により一体成形され、それぞれのヒートパイプの間はフィンによって連結されており、
ヒートパイプの外周は、複数の平面が環状になって構成され、これにより、それぞれの平面はいずれも受力部となり、それぞれのヒートパイプの両側は、フィンの一方の側面上に凹部を形成し、他の側面は相対的に突出され、それぞれ一つの弾性部を形成することを特徴とする、
可塑性を有する太陽エネルギー集熱パネル構造。
【請求項２】
前記凹部と前記弾性部は、Ｖ字形状を呈することを特徴とする、請求項１に記載の可塑性を有する太陽エネルギー集熱パネル構造。
【請求項３】
前記ヒートパイプの外周において、複数の平面により構成された受力部は、六角形または八角形を呈することを特徴とする、請求項１に記載の可塑性を有する太陽エネルギー集熱パネル構造。
【請求項４】
前記集熱パネルの出水パイプの側端は密閉されており、連結パイプの折り返しにより、側方から外部に延伸することを特徴とする、請求項１に記載の可塑性を有する太陽エネルギー集熱パネル構造。
【請求項５】
前記集熱パネル上には、ジョイントが挿通されていることを特徴とする、請求項１に記載の可塑性を有する太陽エネルギー集熱パネル構造。
【請求項６】
前記ジョイントの外周は、爪部を有することを特徴とする、請求項５に記載の可塑性を有する太陽エネルギー集熱パネル構造。
【請求項７】
前記集熱パネルは太陽熱温水器の筐体内に設けられ、さらに貯水タンクと連通するように接続され、また筐体の底部の片方には支持脚が設けられ、これにより、集熱パネルの、貯水タンクと出水パイプが設けられている側は、他端の入水パイプより高くなって、傾斜状態に設置されていることを特徴とする、請求項１に記載の可塑性を有する太陽エネルギー集熱パネル。
【考案の詳細な説明】
【技術分野】
【０００１】
本考案は太陽熱温水器上に取り付けられ、太陽熱を利用して水流に対し加熱できる可塑性を有する太陽エネルギー集熱パネル構造に係り、特に、各ヒートパイプの間に弾性許容度を有する太陽エネルギー集熱パネルに係る。
【背景技術】
【０００２】
現在よく見られる太陽エネルギー集熱パネルの多くは図７に示す通りであり、該集熱パネル３０は主に複数本のヒートパイプ３１、入水パイプ３２及び出水パイプ３３が、プラスチックブロー成形で一体に成形される。上記複数本のヒートパイプ３１はいずれも入水パイプ３２と出水パイプ３３の間に縦方向に配列され、且つ入水パイプ３２と出水パイプ３３と連通する。また、集熱パネル３０は一体ブロー加工によりできているため、それぞれのヒートパイプ３１の間はいずれもフィン３４により連結されている。
【０００３】
使用する際、集熱パネル３０を太陽熱温水器上に取り付け、加熱しようとする冷水は入水パイプ３２から、それぞれのヒートパイプ３１中に分散して流入され、緩やかに上に向かって流動する際に太陽熱を吸収することができ、これにより冷水を加熱し、加熱後の温水は出水パイプから排出され、貯水タンク内に非常用として貯蔵される。
【０００４】
しかしながら、前記のような従来構造は、実際の応用においては依然として以下の問題点が存在する。すなわち、集熱パネル３０のヒートパイプ３１はプラスチックブロー成形により形成され、少々弾性を有するものの、従来のヒートパイプ３１の断面はいずれもスムーズな円形を呈し、そのため内壁が有効的に受力することができず、また、明確な受力面を形成することができない。ヒートパイプ３１の間で連結されるフィン３４もその拡張を阻止する。よって、ヒートパイプ３１内の水流が一定の温度に加熱された場合、ヒートパイプ３１に熱膨張冷収縮の現象が生じるため、該ヒートパイプ３１はスムーズに外側に膨張できない。このため、パイプの壁に亀裂が生じやすく、または破裂しやすくなる問題点が存在する。図８に示すように、この問題点により、従来の集熱パネル３０は使用寿命が短いという欠点を有する。
【０００５】
よって、前記の従来の太陽エネルギー収集パネルに存在する欠点に対して如何なる研究改善を行うかは、実に関連業界が研究開発に努力すべき目標である。これに鑑みて、本考案の考案者は、創造の意念を抱き、長年の経験に基づいて研究を行い、多くの検討及び試作品の実験を行い、複数回の修正及び改善を加え、本考案を完成した。
【考案の概要】
【考案が解決しようとする課題】
【０００６】
従来の太陽エネルギー集熱パネルのヒートパイプの断面はいずれもスムーズな円形を呈し、これにより内壁は効果的に受力することができず、勿論、明確な受力面を発生することはない。そのため、ヒートパイプ内の水流が一定の温度に加熱されて、ヒートパイプに熱膨張冷収縮の現象が生じる場合、該ヒートパイプはスムーズに外側に向けて膨張できないため、パイプ壁に亀裂が生じやすい、または破裂しやすいという問題が起こった。これが本考案において解決しようとする課題である。
【課題を解決するための手段】
【０００７】
本考案は可塑性を有する太陽エネルギー集熱パネル構造であり、該集熱パネルにおいて、複数本のヒートパイプ、入水パイプ及び出水パイプが、プラスチックブロー成形により一体成形され、これにより、これらのヒートパイプはいずれも入水パイプ、出水パイプの間に縦方向に配列し、且つ入水パイプ、出水パイプと連通する。また、集熱プレートは一体ブローによって形成されるため、それぞれのヒートパイプの間はフィンによって連結されることができ、また集熱プレートのそれぞれの前記ヒートパイプはブローの際に、その外周を平面が環状に設置される六角形または八角形とし、これにより、それぞれの平面は一つの受力部となることができる。前記集熱パネルの出水パイプの側端は密閉したものであり、連結パイプの折り返しにより、最側端のヒートパイプの頂部から外部に向かって延伸する。それぞれのヒートパイプの両側は、フィンの一方の側面上に１つの凹部を形成し、他の側面は相対的に突出されこれにより、弾性部を形成する。及び、前記凹部と弾性部は、いずれもＶ字形状を形成することで、可塑性を有する太陽エネルギー集熱パネル構造を得ることができる。
【０００８】
本考案は可塑性を有する太陽エネルギー集熱パネル構造であり、該集熱パネルは、複数本のヒートパイプ、入水パイプ及び出水パイプが、プラスチックブロー成形により一体成形され、それぞれのヒートパイプの間はフィンによって連結されている。
該ヒートパイプの外周は、複数の平面が環状になった構成であり、これにより、それぞれの平面はいずれも受力部となり、それぞれのヒートパイプの両側は、フィンの片側面上に凹部を形成し、他の側面は相対的に突出され、これにより、それぞれ弾性部を形成する。
【０００９】
前記可塑性を有する太陽エネルギー集熱パネル構造において、前記凹部と弾性部は、Ｖ字形状を呈する。
【００１０】
前記可塑性を有する太陽エネルギー集熱パネル構造において、前記ヒートパイプ外周において、複数の平面により構成された受力部は、六角形または八角形を呈する。
【００１１】
前記可塑性を有する太陽エネルギー集熱パネル構造において、前記集熱パネルの出水パイプの側端は密閉したものであり、連結パイプの折り返しにより、側方から外部に延伸する。
【００１２】
前記可塑性を有する太陽エネルギー集熱パネル構造において、前記集熱パネル上には、ジョイントが挿通されている。
【００１３】
前記可塑性を有する太陽エネルギー集熱パネル構造において、前記ジョイントの外周は、爪部を有する。
【００１４】
前記可塑性を有する太陽エネルギー集熱パネル構造において、前記集熱パネルは太陽熱温水器の筐体内に設けられ、さらに貯水タンクと連通するように接続され、また筐体の底部の片方には支持脚が設けられ、これにより、集熱パネルにおける貯水タンクと出水パイプが設けられている一端は他端の入水パイプより高くなることで、傾斜状態に設置されている。
【考案の効果】
【００１５】
本考案は可塑性を有する太陽エネルギー集熱パネル構造を提供し、そのヒートパイプ外周は、平面が環状になった構造の六角形または八角形を呈し、これにより、それぞれの平面はいずれも一つの受力部となることができるため、加熱時に熱膨張冷却収縮の現象が生じる際、それぞれの受力部が内部圧力を提供して支持を加え、さらに集熱パネル弾性部の弾性により、集熱パネル熱分岐板のそれぞれの壁は外に向かって拡張変形し、比較的に、内部エネルギーの発生、圧力を放出できないことによって、ヒートパイプに亀裂が生じやすく、または破裂しやすいなどの問題を回避することができ、本考案の集熱パネルの使用寿命をさらに延長することができ、使用上における耐用性に優れる。
【図面の簡単な説明】
【００１６】
【図１】図１は本考案の集熱パネルの立体外観図である。
【図２】図２は本考案の図１におけるリングで囲んだ部分の局部拡大図である。
【図３】図３は本考案の集熱パネルの断面図である。
【図４】図４は図３の局部拡大図である。
【図５】図５は本考案の使用状態を示す図である。
【図６】図６は本考案のヒートパイプの熱膨張変形を示す図である。
【図７】図７は従来構造の立体外観図である。
【図８】図８はヒートパイプの亀裂状態を示す図である。
【図９】図９は図８におけるリングで囲んだ部分の局部拡大図である。
【考案を実施するための形態】
【００１７】
以下、本考案の目的、特徴及び効果をより理解、認識してもらうため、図面を用いて詳しく説明する。
【００１８】
図１〜図４に示すように、該集熱パネル１０には、複数本のヒートパイプ１１、入水パイプ１２及び出水パイプ１３が、プラスチックブロー成形により一体成形され、これらのヒートパイプ１１をいずれも入水、出水パイプ１２、１３の間に縦方向で配列され、且つ出水パイプ１２、入水１３と連結され、且つ、集熱パネル１０は一体ブローによりで形成され、このためにそれぞれのヒートパイプ１１の間はフィン１４によって連結され、または集熱パネル１０のそれぞれのヒートパイプ１１はブローする場合、直接その外周を複数の平面が環状になった構成の六角形または八角形にし、これにより、それぞれの平面はいずれも一つの受力部１１１となる。集熱パネル１０の出水パイプ１３の側端は密閉され、連結パイプ１５の折り返しにより、最側端の２本のヒートパイプ１１の頂部から外部に向かって延伸して設けられ、それぞれのヒートパイプ１１の両側は、フィン１４の一方の側面上において凹部１４１を形成し、他の側面は相対的に突出され、これにより、それぞれ弾性部１４２を形成し、該凹部１４１と弾性部１４２はいずれも Ｖ字形状を呈する。
【００１９】
また、図５に示すように、本考案の可塑性を有する太陽エネルギー集熱パネルは、主に、太陽熱温水器の筐体２０内に配置され、さらに貯水タンク２１と連結する連通構造を形成し、また筐体２０の底部の一方には支持脚２２が設けられ、これにより、集熱パネル１０の貯水タンク２１と出水パイプ１３を設けている側が、他端の入水パイプ１２より高くなって、傾斜状態に設置され、これにより、水流れの連通パイプの原理により、加熱しようとする冷水は入水パイプ１２から各ヒートパイプ１１に分散して流入され、それが緩やかに上に向かって流動する場合、太陽熱を吸収することで、冷水を加熱し、加熱後の温水は出水パイプ１３、連結パイプ１５を経由して、最側端の２本のヒートパイプ１１から流出され、貯水タンク２１内に貯蔵される。
【００２０】
また、入水パイプ１２と最側端の２本のヒートパイプ１１の入水孔、出水孔にはそれぞれジョイント１６が挿通され、該ジョイント１６の外周には爪部１６１が設けられ、該爪部１６１の嵌合により、接続されたパイプが容易に脱落する恐れを回避することができる。
【００２１】
前記の具体的な実施例の構造により、以下の効果を得ることができる。
ヒートパイプ１１の外周は、複数の平面が環状になった構成された六角形または八角形を呈し、それぞれの平面はいずれも受力部１１１と成り得る。よって加熱により熱膨張冷却収縮の現象が発生した場合、即ち、このそれぞれの受力部１１１により、内部圧力を提供して支持し、集熱パネル１０の弾性部１４２が受力して圧縮変形する弾性を利用して、ヒートパイプ１１のそれぞれの壁はいずれも外部に向かって拡張変形する。図６に示すように、比較的に、内部エネルギーの発生、圧力が放出できないことによって、ヒートパイプ１１に亀裂が生じやすく、または破裂が生じやすい問題を回避することができ、本考案の集熱パネル１０の使用寿命はさらに延長され、使用においては耐用性に優れる。
【００２２】
上記の説明は、本考案の好適な実施例に過ぎず、本考案の範囲を制限するものではない。本考案の実用新案登録請求の範囲に従って行った様々な変更及び修正は、すべて本実用新案登録の範囲に含まれる。
【符号の説明】
【００２３】
１０    集熱パネル
１１    ヒートパイプ
１１１  受力部
１２    入水パイプ
１３    出水パイプ
１４    フィン
１４１  凹部
１４２  弾性部
１５    連結パイプ
１６    ジョイント
１６１  爪部
２０    筐体
２１    貯水タンク
２２    支持脚
３０    集熱パネル
３１    ヒートパイプ
３２    入水パイプ
３３    出水パイプ
３４    フィン
【図１】
0003189108.tif 000003
【図２】
0003189108.tif 000004
【図３】
0003189108.tif 000005
【図４】
0003189108.tif 000006
【図５】
0003189108.tif 000007
【図６】
0003189108.tif 000008
【図７】
0003189108.tif 000009
【図８】
0003189108.tif 000010
【図９】
0003189108.tif 000011